(57)【特許請求の範囲】
【請求項１】
自動車に積載されてなるメータの積算走行距離記憶集積回路出力端子に接続可能なるコネクタと、
該コネクタに接続され且つ前記メータの積算走行距離記憶集積回路が出力する積算走行距離をデジタル表示する表示手段とを有し、
前記表示手段は、前記コネクタに接続されてなるスイッチと、該スイッチのＯＮ信号により前記メータの積算走行距離記憶集積回路が出力する積算走行制御距離を算出する制御回路基板と、該制御回路基板の算出した積算走行距離を表示する表示デバイスとより構成されてなることを特徴とする積算走行距離表示装置。
【請求項２】
請求項１に記載の積算走行距離表示装置であって、
前記表示手段には、積算走行距離記憶集積回路が備えられていないことにより自動車積載メータの積算走行距離をそのままデジタル表示可能なることを特徴とする積算走行距離表示装置。
【発明の詳細な説明】
【０００１】
【発明の属する技術分野】
本発明は、自動車に積載されてなる積算走行距離をデジタル表示されるメータが故障して、表示が異常となった場合の自動車の積算走行距離を検出表示できる積算走行距離表示装置に関する。
【０００２】
【従来の技術】
従来の自動車積載用メータ１は、図４に示すように、該自動車の積算走行距離を表示する積算走行距離表示装置２と、該積算走行距離表示装置２を駆動する駆動制御用回路３とからなる。
【０００３】
かかる自動車積載用メータ１が故障した場合に、該メータ１が保証期間の内に故障したのかの判断や整備手帳への積算走行距離を記載するため、積算走行距離を調査する必要の生じる場合がある。
【０００４】
このため、該故障メータ１に、信号変換用インターフェースボード４を接続することで、該故障メータ１内の積算走行距離データを読み込んで、ディスプレイ５に該積算走行距離をデジタル表示するようにしている。
【０００５】
尚、符号６は、前記ディスプレイ５に接続されてなるグラフィックス・コントローラ、ＳＣＳＩコントローラ、ハード・ディスクなどの駆動装置である。
【０００６】
上記従来技術の類似技術として実開平３−４２４５０号公報がある。
【０００７】
【発明が解決しようとする課題】
上述した従来技術では、信号変換用インターフェースボード４、ディスプレイ５そして駆動装置６は、設備規模が大きく、自動車の販売拠点或いは整備拠点の全てにかかる設備を配置することは、投資対効果の点から困難であり、改善が望まれている。
【０００８】
また、前記故障メータ１を部品製造会社に直送して、積算走行距離を調査することも考えられるが、調査時間の長期化と、故障の度に部品製造会社に返送するという煩雑さ、並びに部品製造会社で受け入れ態勢を必要とするなど、管理工数原価高騰の一原因になるおそれもあり、かかる点でも改善が望まれている。
【０００９】
本発明は、上記に鑑みてなされたもので、その目的とするところは、安価且つ小規模な積算走行距離表示装置とすることで、自動車の販売拠点或いは整備拠点に、常設を可能にし、調査期間の短時間化、管理原価工数の削減を図れる積算走行距離表示装置を提供することにある。
【００１０】
【課題を解決するための手段】
上記目的を達成するために、請求項１記載の本発明は、自動車に積載されてなるメータの積算走行距離記憶集積回路出力端子に接続可能なるコネクタと、該コネクタに接続され且つ前記メータの積算走行距離記憶集積回路が出力する積算走行距離をデジタル表示する表示手段とを有し、前記表示手段は、前記コネクタに接続されてなるスイッチと、該スイッチのＯＮ信号により前記メータの積算走行距離記憶集積回路が出力する積算走行制御距離を算出する制御回路基板と、該制御回路基板の算出した積算走行距離を表示する表示デバイスとより構成されてなることを要旨とする。
【００１２】
また、請求項２記載の本発明は、請求項１に記載の積算走行距離表示装置であって、前記表示手段には、積算走行距離記憶集積回路が備えられていないことにより自動車積載メータの積算走行距離をそのままデジタル表示可能なることを要旨とする。
【００１３】
【発明の効果】
請求項１記載の本発明によれば、自動車に積載されてなるメータの積算走行距離記憶集積回路出力端子に接続可能なるコネクタと、該コネクタに接続され且つ前記メータの積算走行距離記憶集積回路が出力する積算走行距離をデジタル表示する表示手段とを有するので、故障メータのデータがそのまま積算走行距離となって表示されることになり、安価であり且つ小規模な積算走行距離表示装置とすることで、自動車の販売拠点或いは整備拠点に、常設を可能にすることができる。
【００１４】
また、故障メータにコネクタを接続した段階で、スイッチをＯＮに切り換えれば、該ＯＮ信号により前記メータの積算走行距離記憶集積回路が出力する積算走行制御距離を制御回路基板が算出して表示デバイスにより、該制御回路基板の算出した積算走行距離を、早期且つ容易に表示することができることになる。
【００１５】
更に、請求項２記載の本発明によれば、前記表示手段には、積算走行距離記憶集積回路が備えられていないので、自動車積載メータの積算走行距離をそのままデジタル表示可能であり、安価な表示装置を提供できることになる。
【００１６】
【発明の実施の形態】
以下、図面を用いて本発明の実施の形態について説明する。
【００１７】
図１は、本発明の一実施形態に係わる積算走行距離表示装置の分解斜視図、図２は、図１の積算走行距離表示装置の構成を示す部分ブロック回路図である。
【００１８】
図１及び図２において、１０は本発明の積算走行距離表示装置であり、自動車に積載されてなる前記メータ１の積算走行距離記憶集積回路出力端子（図示省略）に接続可能なるコネクタ１１と、該コネクタ１１に接続され且つ前記メータ１の積算走行距離記憶集積回路が出力する積算走行距離をデジタル表示する表示手段１２とを有し、該表示手段１２は、前記コネクタ１１に接続されてなるスイッチ１３と、該スイッチ１３のＯＮ信号により前記メータ１の積算走行距離記憶集積回路が出力する積算走行制御距離を算出する制御回路基板１４と、該制御回路基板１４の算出した積算走行距離を表示する表示デバイス１５とより構成されてなる。１６、１７は、前記制御回路基板１４及び表示デバイス１５を覆うケースである。１８、１９は、前記制御回路基板１４へ供給する電源Ｖに接続されてなる供給回路及びグランドＧに接続されてなるアース回路である。
【００１９】
前記制御回路基板１４は、積算走行距離表示制御用回路２０と、表示デバイス駆動用回路２１と、安定電源化回路２２とよりなり、符号２３は、かかる制御回路基板１４に備えられていない積算走行距離記憶集積回路であり、備えられていないことを敢えて示すために表示したものである。
【００２０】
従って、自動車に積載されてなるメータ１の積算走行距離記憶集積回路出力端子（図示省略）の出力端子に接続可能なるコネクタ１１と、該コネクタ１１に接続され且つ前記メータ１の積算走行距離記憶集積回路出力端子（図示省略）が出力する積算走行距離をデジタル表示する表示手段１２とを有するので、故障メータ１のデータがそのまま積算走行距離となって積算走行距離記憶集積回路が備えられていないにもかかわらず、表示手段１２の表示デバイス１５に表示されることになり、安価であり且つ小規模な積算走行距離表示装置とすることで、自動車の販売拠点或いは整備拠点に、常設を可能にすることができる。
【００２１】
また、積算走行距離表示装置２及び該積算走行距離表示装置２を駆動する駆動制御用回路３が故障した故障メータ１は、表示が異常状態を表示するか又は表示そのものが消えた場合に、コネクタ１１を接続して、スイッチ１３をＯＮに切り換えれば、該ＯＮ信号により前記メータ１の積算走行距離記憶集積回路端子が出力する積算走行距離を制御回路基板１４が算出して、該制御回路基板１４の算出した積算走行距離を、表示デバイス１５により早期且つ容易に表示することができることになる。
【００２２】
更に、前記制御回路基板１４には、図３に示すように、積算走行距離記憶集積回路２３が備えられていないので、自動車積載メータ１の積算走行距離をそのままデジタル表示可能であり、安価な表示装置を提供できることになる。
【図面の簡単な説明】
【図１】本発明の一実施形態に係わる積算走行距離表示装置と自動車用メータとの構成を示す分解斜視説明図である。
【図２】図１の実施形態におけるブロック図である。
【図３】図２の制御回路基板のブロック図である。
【図４】従来の積算走行距離表示装置と自動車用メータとの構成を示すブロック図である。
【符号の説明】
１  自動車積載用メータ
２、１０  積算走行距離表示装置
１１  コネクタ
１２  表示手段
１３  スイッチ
１５  表示デバイス
２０  積算走行距離表示制御用回路
２１  表示デバイス駆動用回路
２２  安定電源化回路
【図１】
0003596207.tif 000002
【図２】
0003596207.tif 000003
【図３】
0003596207.tif 000004
【図４】
0003596207.tif 000005